(57)【要約】【課題】射出成形工法を利用したアンダーカット部を有する樹脂成形品の成形方法及び成形金型であって、アンダーカットピンの破損を未然に防止して、成形金型の耐久性を高める。【解決手段】成形金型１０は、相互に型締め、型開き可能な固定側金型２０と可動側金型３０とから構成され、一方側の金型（固定側金型）２０内にアンダーカット形状を形作るアンダーカットピン４０がシリンダ４１駆動により進退可能に設けられ、一方側の金型（固定側金型）２０の外側面にアンダーカットピン４０の突出時において動作するロック機構部５０が設けられている。このロック機構部５０は、型締め時においては型締め状態で金型１０をロックするとともに、型開き状態にあってはロックアーム５２が可動側金型３０のパーティング面３０ｂに対峙して型締めを規制することで、アンダーカットピン４０の破損を防止する。【選択図】図３
2006095734.tif 000002
【特許請求の範囲】
【請求項１】
固定側金型（２０）に対して可動側金型（３０）を型締めするとともに、固定側金型（２０）に内装されたアンダーカットピン（４０）を製品キャビティ（Ｃ）内に突出させて可動側金型（３０）に設けられたアンダーカット状の凹部（３１）内に収容し、製品キャビティ（Ｃ）内に溶融樹脂を射出充填して、アンダーカット部（２）を有する樹脂成形品（１）を成形する樹脂成形品（１）の成形方法において、
前記アンダーカットピン（４０）が固定側金型（２０）の型面（２０ａ）から突出した状態にある時、成形金型（１０）に設けられたロック機構部（５０）はロック状態を維持しており、固定側金型（２０）と可動側金型（３０）との型締め時においては、両金型（２０，３０）の型締め状態をロック機構部（５０）のロックアーム（５２）によりロックするとともに、固定側金型（２０）と可動側金型（３０）との型開き時においては、ロック機構部（５０）におけるロックアーム（５２）が成形金型（１０）のパーティング面（３０ｂ）と干渉することにより、型締めが規制されることを特徴とするアンダーカット部を有する樹脂成形品の成形方法。
【請求項２】
固定側金型（２０）に対して可動側金型（３０）を型締めするとともに、固定側金型（２０）に内装されたアンダーカットピン（４０）を製品キャビティ（Ｃ）内に突出させて可動側金型（３０）に設けられたアンダーカット状の凹部（３１）内に収容し、製品キャビティ（Ｃ）内に溶融樹脂を射出充填して、アンダーカット部（２）を有する樹脂成形品（１）を成形するアンダーカット部（２）を有する樹脂成形品（１）の成形金型（１０）において、
前記成形金型（１０）は、相互に型締め、型開きされる固定側金型（２０）、並びに可動側金型（３０）と、固定側金型（２０）内に設けられ、樹脂成形品（１）のアンダーカット部（２）を形成するために、両金型（２０，３０）の型締め時に製品キャビティ（Ｃ）内に侵入するアンダーカットピン（４０）と、該アンダーカットピン（４０）を進退駆動させるシリンダ（４１）と、成形金型（１０）の外側面に設けられ、アンダーカットピン（４０）が固定側金型（２０）の型面（２０ａ）から突出した状態にある時、ロック状態を維持できるロックアーム（５２）を有するロック機構部（５０）とから構成され、上記ロック機構部（５０）は、両金型（２０，３０）の型締め時においては型締め状態をロック可能である一方、両金型（２０，３０）の型開き状態時ににおいてはロックアーム（５２）と成形金型（１０）のパーティング面（３０ｂ）との干渉作用により型締め動作を回避できるようにしたことを特徴とするアンダーカット部を有する樹脂成形品の成形金型。
【請求項３】
前記ロック機構部（５０）は、成形金型（１０）の外側面に回動可能に支持され、先端にロック片（５２ａ）を折曲形成したロックアーム（５２）と、該ロックアーム（５２）と斜面カム作用により接合するスライダ（５４）と、このスライダ（５４）を進退動作させるシリンダ（５６）とから構成され、上記スライダ（５４）の進退動作により、ロックアーム（５２）をロック方向、アンロック方向に回動させることを特徴とする請求項２に記載のアンダーカット部を有する樹脂成形品の成形金型。
【請求項４】
前記ロック機構部（５０）は、成形金型（１０）の外側面に回動可能に支持され、先端にロック片（５２ａ）を折曲形成したロックアーム（５２）と、上記ロックアーム（５２）におけるロック片（５２ａ）の反対側にリンク（５８）を介して接合される連結ロッド（５７ａ）と、該連結ロッド（５７ａ）を進退駆動させるシリンダ（５７）とから構成され、上記連結ロッド（５７ａ）の進退動作により、ロックアーム（５２）をロック方向、アンロック方向に回動させることを特徴とする請求項２に記載のアンダーカット部を有する樹脂成形品の成形金型。
【発明の詳細な説明】
【技術分野】
【０００１】
本発明は、アンダーカット部を有する樹脂成形品の成形方法及び成形金型に係り、特に、アンダーカット部を形成するためのアンダーカットピンが型外に突出している時、金型を機械的にロックすることで、アンダーカットピン並びに金型の破損を確実に防止できるアンダーカット部を有する樹脂成形品の成形方法及び成形金型に関する。
【背景技術】
【０００２】
図９は車体パネルの室内面側に取り付けられる内装トリム１の正面図を示しており、この種内装トリム１は、射出成形により所望の曲面形状に成形された樹脂成形品から構成されている。そして、図１０に示すように、樹脂成形品である内装トリム１は、図示しない車体パネルに取り付けるための取付座２が凹設されている。
【０００３】
上記取付座２を有する内装トリム１を成形するには、図１１に示す射出成形金型３が使用されている。この射出成形金型３は、固定側金型４と可動側金型５とからなり、取付座２を成形するためのアンダーカットピン６が固定側金型４に内装されている。すなわち、固定側金型４に対して可動側金型５が型締めされる際、図１２に示すように、アンダーカットピン６が油圧シリンダ７の伸長動作により、可動側金型５に設けられたアンダーカット状の凹部５ａ内に侵入する。この時、アンダーカットピン６は、型抜き方向（図中Ａ矢印で示す方向）に対して傾斜する方向（図中Ｂ矢印で示す方向）に侵入する。
【０００４】
ところで、アンダーカットピン６の動作タイミングは、固定側金型４に対して可動側金型５が型締めされたことを検知した後、油圧シリンダ７が動作することにより、アンダーカットピン６が固定側金型４の型面から突出する。そして、成形終了時には油圧シリンダ７が収縮動作して、アンダーカットピン６が後退するのを検知してから可動側金型５が型開き方向に動作するように制御されている。尚、取付座２のようなアンダーカット部を有する樹脂成形品の射出成形工法については、特許文献１に記載されている。
【０００５】
【特許文献１】特開平９−３９０３９号公報
【発明の開示】
【発明が解決しようとする課題】
【０００６】
このように、従来、取付座２のようなアンダーカット部を有する樹脂成形品１を射出成形工法を使用して成形するには、固定側金型４にアンダーカットピン６を内装し、アンダーカットピン６の動作タイミングと、可動側金型５の動作タイミングを精度良く制御している。すなわち、成形金型３の駆動系とアンダーカットピン６の油圧シリンダ７との間に油圧配管がメタコン（メタルコンセント）を介して接続されており、成形金型３における開閉動作に伴ない、成形機からの電気信号とタイマーでアンダーカットピン６の動作を制御しているのが実情である。
【０００７】
しかし、金型設備の簡素化を図るために、油圧ホースやメタコンを繋がない構成を採用した場合、機械的な保護がないため、図１３に示すように、アンダーカットピン６が突出した状態で誤作動により成形金型３の型開きが行なわれれば、アンダーカットピン６が破損するという不具合がある。また、アンダーカットピン６を突出させた状態で誤作動により成形金型３の型締めが行なわれた時にも、図１４に示すように、アンダーカットピン６と可動側金型５の双方が破損するという不具合がある。
【０００８】
この発明は、このような事情に鑑みてなされたもので、アンダーカット部を有する樹脂成形品の成形方法及び成形金型であって、油圧配管を配設することなく、アンダーカットピン及び成形金型の確実な保護を図ることを可能にしたアンダーカット部を有する樹脂成形品の成形方法及び成形金型を提供することを目的とする。
【課題を解決するための手段】
【０００９】
上記目的を達成するために、本発明は、固定側金型に対して可動側金型を型締めするとともに、固定側金型に内装されたアンダーカットピンを製品キャビティ内に突出させて可動側金型に設けられたアンダーカット状の凹部内に収容し、製品キャビティ内に溶融樹脂を射出充填して、アンダーカット部を有する樹脂成形品を成形する樹脂成形品の成形方法において、前記アンダーカットピンが固定側金型の型面から突出した状態にある時、成形金型に設けられたロック機構部はロック状態を維持しており、固定側金型と可動側金型との型締め時においては、両金型の型締め状態をロック機構部のロックアームによりロックするとともに、固定側金型と可動側金型との型開き時においては、ロック機構部におけるロックアームが成形金型のパーティング面と干渉することにより、型締めが規制されることを特徴とする。
【００１０】
また、上記発明方法に使用する成形金型は、固定側金型に対して可動側金型を型締めするとともに、固定側金型に内装されたアンダーカットピンを製品キャビティ内に突出させて可動側金型に設けられたアンダーカット状の凹部内に収容し、製品キャビティ内に溶融樹脂を射出充填して、アンダーカット部を有する樹脂成形品を成形するアンダーカット部を有する樹脂成形品の成形金型において、前記成形金型は、相互に型締め、型開きされる固定側金型、並びに可動側金型と、固定側金型内に設けられ、樹脂成形品のアンダーカット部を形成するために、両金型の型締め時に製品キャビティ内に侵入するアンダーカットピンと、該アンダーカットピンを進退駆動させるシリンダと、成形金型の外側面に設けられ、アンダーカットピンが固定側金型の型面から突出した状態にある時、ロック状態を維持できるロックアームを有するロック機構部とから構成され、上記ロック機構部は、両金型の型締め時においては型締め状態をロック可能である一方、両金型の型開き状態時ににおいてはロックアームと成形金型のパーティング面との干渉作用により型締め動作を回避できるようにしたことを特徴とする。
【００１１】
更に、本発明に係る成形金型の好ましい実施の形態においては、前記ロック機構部は、成形金型の外側面に回動可能に支持され、先端にロック片を折曲形成したロックアームと、該ロックアームと斜面カム作用により接合するスライダと、このスライダを進退動作させるシリンダとから構成され、上記スライダの進退動作により、ロックアームをロック方向、アンロック方向に回動させることを特徴とする。
【００１２】
また、本発明に係る成形金型の更に好ましい実施の形態においては、前記ロック機構部は、成形金型の外側面に回動可能に支持され、先端にロック片を折曲形成したロックアームと、上記ロックアームにおけるロック片の反対側にリンクを介して接合される連結ロッドと、連結ロッドを進退駆動させるシリンダとから構成され、上記連結ロッドの進退動作により、ロックアームをロック方向、アンロック方向に回動させることを特徴とする。
【００１３】
ここで、成形金型は、相互に型締め、型開きされる固定側金型と可動側金型とから構成され、固定側金型には、射出機のノズルからの溶融樹脂を両金型の型締めにより画成される製品キャビティ内に供給するためのマニホールド、バルブゲート等の樹脂通路が設けられている。また、固定側金型内には、シリンダ駆動されるアンダーカットピンが内装されている。ここで、『アンダーカットピン』とは、シリンダの伸縮動作により、進退駆動されるピン状体であって、シリンダ収縮時には、固定側金型内に収容され、シリンダ伸長時には、固定側金型の型面から突出して可動側金型の型面に凹設されているアンダーカット状の凹部内にまで進入し、アンダーカット状のキャビティ部分を構成するピンのことを指す。
【００１４】
更に、ロック機構部は、固定側金型、可動側金型のいずれの外側面にも設けることができ、このロック機構部は、成形金型の外側面に回動可能に支持され、先端にロック片を形成したロックアームを備えており、シリンダの伸縮動作を斜面カム作用、あるいはリンク作用で変換することでロックアームが回動する。
【００１５】
そして、以上の構成から明らかなように、成形金型の外側面に設けられているロック機構部は、アンダーカットピンが固定側金型の型面から突出した状態にある時、すなわちアンダーカットピンを駆動させるシリンダが伸長状態にある時にロック状態を維持するように動作する。従って、例えば、固定側金型と可動側金型とが型締め状態で、かつアンダーカットピンが突出状態にある時、ロック機構部は両金型の型締め状態をロックしているため、アンダーカットピンが突出した状態では型開きが行なわれることがなく、アンダーカットピンの破損が未然に防止できる。
【００１６】
一方、金型が型開き状態で、かつアンダーカットピンが型面から突出している状態においても、ロック機構部はロック位置にあり、成形金型のパーティング面にロックアームが介在するため、ロックアームと金型とが干渉することから、アンダーカットピンが突出した状態で型締めが行なわれることがなく、成形金型及びアンダーカットピンの破損を未然に防止することができる。
【発明の効果】
【００１７】
以上説明した通り、本発明に係るアンダーカット部を有する樹脂成形品の成形方法及び成形金型によれば、一方側の金型の外側面に他方側の金型に向けてロックアームが延在するロック機構部を設け、このロック機構部は、固定側金型に内装されているアンダーカットピンが型面から突出する動作に連繋してロック状態をとるように制御されているため、通常の成形時、アンダーカットピンがキャビティ内に侵入している時には可動側金型と固定側金型の両金型を型締め状態でロック機構部がロックすることから、アンダーカットピンが突出した状態で型開きが行なわれることがない。
【００１８】
一方、成形金型の型開き状態時、誤ってアンダーカットピンが固定側金型の型面から突出した状態にあっても、アンダーカットピンのシリンダの動作と連繋してロック機構部がロック状態をとるように動作するため、固定側金型と可動側金型とのパーティング面にロック機構部におけるロックアームが介在し、ロックアームと成形金型とが干渉することから、アンダーカットピンが突出した状態で型締めが行なわれることがない。
【００１９】
従って、アンダーカットピンが突出状態にある時の成形金型の誤作動がないことから、アンダーカットピン及び成形金型の破損を未然に防止でき、成形金型の耐久性を高め、成形性能を向上させることができるという効果を有する。
【発明を実施するための最良の形態】
【００２０】
以下、本発明に係るアンダーカット部を有する樹脂成形品及びその成形方法の実施形態について、添付図面を参照しながら詳細に説明する。
【実施例】
【００２１】
図１乃至図８は、本発明の一実施例を示すもので、図１は本発明に係る成形金型の全体構成を示す説明図、図２は同成形金型におけるロック機構部の構成を示す説明図、図３乃至図６は図１に示す成形金型を使用して樹脂成形品を成形する各工程を示す説明図、図７は本発明に係る成形金型に使用するロック機構部の作用を示す説明図、図８は同ロック機構部の変形例を示す説明図である。尚、本発明方法により成形される樹脂成形品としては、従来例の図９，図１０で示す内装トリム１に適用され、内装トリム１に設けられる取付座２がアンダーカット部に相当する。
【００２２】
図１において、本発明の成形金型１０は、キャビティ型（以下、固定側金型という）２０と、コア型（以下、可動側金型という）３０と、固定側金型２０内に内装され、内装トリム１の取付座２のようなアンダーカット部を成形するアンダーカットピン４０並びにこのアンダーカットピン４０を駆動させるためのシリンダ４１と、固定側金型２０の外側面に設けられるロック機構部５０とから大略構成されている。
【００２３】
更に詳しくは、上記固定側金型２０には、所要形状の型面（キャビティ面）２０ａが形成されているとともに、可動側金型３０には、固定側金型２０の型面２０ａとほぼ一致する型面（コア面）３０ａが突設形成されている。また、この型面３０ａに型抜き方向（図中Ａ矢印方向）に対して傾斜する方向（図中Ｂ矢印方向）に沿ってアンダーカット状の凹部３１が凹設されている。そして、この可動側金型３０の可動テーブル３２にプレスラム３３が連結され、プレスラム３３の動作により固定側金型２０に対して可動側金型３０が所定ストローク接離可能に型締め及び型開きされる。
【００２４】
次に、固定側金型２０に内装されるアンダーカットピン４０及びシリンダ４１は、図示するように、シリンダ４１の収縮時には固定側金型２０の型面２０ａよりアンダーカットピン４０の先端４０ａが突出することがないように収容されており、シリンダ４１の伸長時には、アンダーカットピン４０が可動側金型３０の凹部３１内に収容されるように突出し、取付座２形成用のキャビティ部分を構成する。
【００２５】
ところで、上述した固定側金型２０、可動側金型３０、アンダーカットピン４０を備えた成形金型１０は、汎用構造であり、本発明に係る成形金型１０は、これら汎用構造の成形金型１０にアンダーカットピン４０及び成形金型１０の破損を未然に防止できるロック機構部５０を付設したことが特徴である。すなわち、この実施例におけるロック機構部５０は、図２から明らかなように、固定側金型２０の外側面に取り付けたブラケット５１にロックアーム５２が回動支点５１ａを基に回動可能に支持されており、このロックアーム５２の先端側に内方に向けて折曲するロック片５２ａが形成されている。更に、このロックアーム５２の内面にカム片５３が形成され、このカム片５３は、固定側金型２０の型面上をスライドするスライダ５４のカム受け凹部５５内に収容され、かつスライダ５４は、シリンダ５６により進退可能に支持されている。尚、このロック機構部５０は、固定側金型２０の両側に同一構成のものが対称状に設定されている。
【００２６】
このロック機構部５０の動作について、固定側金型２０の上面に配置されたロック機構部５０を例にとり説明する。すなわち、シリンダ５６が伸長動作すれば、スライダ５４は図中右側方向、すなわち可動側金型３０に向けて前進し、その時、スライダ５４におけるカム受け凹部５５の第１傾斜面５５ａとロックアーム５２におけるカム片５３の第１傾斜面５３ａとの間で斜面カム作用が働き、ロックアーム５２が回動支点５１ａを基に図中反時計廻り方向（アンロック方向）に回動する。
【００２７】
一方、シリンダ５６が収縮動作すれば、スライダ５４が可動側金型３０から離れる方向、すなわち図中左側方向に後退し、スライダ５４におけるカム受け凹部５５の第２傾斜面５５ｂとロックアーム５２におけるカム片５３の第２傾斜面５３ｂとの間で斜面カム作用が働き、ロックアーム５２は、回動支点５１ａを基に図中時計廻り方向（ロック方向）に動作する。そして、本発明に係る成形金型１０の使用形態においては、アンダーカットピン４０におけるシリンダ４１が伸長動作している時、すなわちアンダーカットピン４０が突出状態にある時には、ロック機構部５０のロックアーム５２がロック方向に動作したロック状態を維持するように制御されることが特徴である。
【００２８】
次いで、上記構成の成形金型１０を使用して、アンダーカット状の取付座２を有する樹脂成形品１の成形工程について、図３乃至図６を基に説明する。まず、図１に示す型開き状態からプレスラム３３の駆動により、可動側金型３０が固定側金型２０に対して図３に示すように型締めされる。この時、アンダーカットピン４０は、固定側金型２０の型面２０ａより内部に没入しており、この状態では、ロック機構部５０はアンロック状態であり、ロック機構部５０におけるロックアーム５２が可動側金型３０の型締め動作に干渉することがない。
【００２９】
そして、図３に示す型締めが完了すれば、図４に示すように、アンダーカットピン４０がシリンダ４１の伸長動作により固定側金型２０の型面２０ａから突出し、可動側金型３０に凹設されているアンダーカット状の凹部３１内に侵入し、アンダーカット部を含む製品キャビティＣが画成される。この時、上記アンダーカットピン４０の突出動作に連繋して、固定側金型２０の外側に位置するロック機構部５０が動作する。すなわち、図４において、固定側金型２０の上側に位置するロック機構部５０においては、シリンダ５６が収縮動作することで、スライダ５４のカム受け凹部５５とロックアーム５２のカム片５３との斜面カム作用（第２傾斜面５３ｂ，５５ｂ同士の摺接作用）により、ロックアーム５２が図中時計廻り方向に回動し、可動側金型３０の段部３４に係止する。尚、この時のシリンダ５６の動作は、アンダーカットピン４０の突出動作をセンサにより検知し、制御装置からシリンダ５６の動作指令が出される。
【００３０】
一方、固定側金型２０の下側に位置するロック機構部５０については、ロックアーム５２が反時計廻り方向に回動して、可動側金型３０の段部３４に係止し、固定側金型２０と可動側金型３０とは型締め状態でロックアーム５２によりロックされる。そして、この状態で、図示しない樹脂通路から溶融樹脂が製品キャビティＣ内に射出充填されて取付座２を含む内装トリム（樹脂成形品）１が所要形状に射出成形される。
【００３１】
このアンダーカットピン４０が固定側金型２０の型面２０ａから外方に突出している状態では、図示するように、固定側金型２０に対して可動側金型３０が型締めされた状態でロック機構部５０によりロックされているため、この状態では型開き動作が行なわれることがなく、それによるアンダーカットピン４０の破損を未然に防止できる。
【００３２】
更に、溶融樹脂の射出充填後、所定時間の冷却工程を経て内装トリム１が成形されるが、内装トリム１の成形後、図５に示すように、シリンダ４１が動作して、アンダーカットピン４０が後退して、固定側金型２０内に収容される。そして、アンダーカットピン４０が固定側金型２０の型内に収容された時、図示しない制御装置からの指令により、固定側金型２０に設けられているロック機構部５０が動作する。すなわち、シリンダ５６が伸長動作することで、スライダ５４が可動側金型３０側に向けて前進し、スライダ５４におけるカム受け凹部５５とロックアーム５２のカム片５３との間の斜面カム作用（第１傾斜面５３ａ，５５ａ同士の摺接作用）により、ロックアーム５２は、可動側金型３０の段部３４から外れ、型開き可能な状態となる。従って、この状態でプレスラム３３が駆動して、可動側金型３０が後退することで、図６に示す型開き状態となる。
【００３３】
このように、本発明に係る成形金型１０を使用すれば、固定側金型２０に対して可動側金型３０を型締めした後、アンダーカットピン４０を突出させた状態では、固定側金型２０と可動側金型３０との型締め状態で、ロック機構部５０により両者がロックされるため、可動側金型３０が不用意に型開きすることがなく、アンダーカットピン４０の破損を未然に防止できる。
【００３４】
また、成形金型１０の型開き時、アンダーカットピン４０がシリンダ４１の誤作動により、固定側金型２０の型面２０ａから外方に突出した状態の時であっても、アンダーカットピン４０が突出した状態では、必ずロック機構部５０がロック状態となっているため、図７に示すように、ロックアーム５２のロック片５２ａと可動側金型３０のパーティング面３０ｂとが干渉し、ロックアーム５２がストッパーとして機能するため、アンダーカットピン４０が突出した状態で型締めが行なわれることがないことから、アンダーカットピン４０及び可動側金型３０の破損を未然に防止できる。
【００３５】
次いで、図８は、ロック機構部５０の変形例を示すもので、上述した斜面カム機構に替えて、図８に示すロック機構部５０においては、固定側金型２０内にシリンダ５７を内装し、このシリンダ５７に駆動される連結ロッド５７ａの伸縮方向が固定側金型２０の外側面から接離する方向（スライダ５４のスライド方向と直交する方向）に調整し、この連結ロッド５７ａとロックアーム５２の基部側をリンク５８を介して連結させるという構成が採用されている。従って、アンダーカットピン４０が固定側金型２０の型面２０ａから外方に突出した状態でロック機構部５０がロック可能となるように、シリンダ５７が伸長動作し、ロックアーム５２がブラケット５１の回動支点５１ａを中心としてロック方向に回動動作する。よって、固定側金型２０と可動側金型３０の型締め時においては、型締め状態をロックするように機能するとともに、型開き時におけるアンダーカットピン４０の突出時には、ロックアーム５２がストッパーとして型締めを抑える機能をもつため、図８に示す簡易構造のロック機構部５０を採用しても、上述実施例と同様の作用効果が得られる。
【産業上の利用可能性】
【００３６】
実施例では、ロック機構部５０として、シリンダ５６とロックアーム５２との間に斜面カム機構をもつスライダ５４を介装する構成や、シリンダ５７の連結ロッド５７ａとロックアーム５２後端とをリンク連結する構成を採用したが、シリンダ５６，５７とロックアーム５２との間の構成は、シリンダ５６，５７の直線運動をロックアームの回転運動に変換する任意の機構を使用することができる。更に、ロック機構部５０は、上述実施例では固定側金型２０の外側面に配置したが、可動側金型３０の外側面に配置しても良い。
【図面の簡単な説明】
【００３７】
【図１】本発明に係るアンダーカット部を有する樹脂成形品の成形金型の一実施例の構成を示す説明図である。
【図２】図１に示す成形金型におけるロック機構部の構成を示す説明図である。
【図３】図１に示す成形金型を使用した樹脂成形品の成形方法における金型の型締め時の状態を示す説明図である。
【図４】図１に示す成形金型を使用した樹脂成形品の成形方法において、アンダーカットピンの突出時、並びにロック機構部のロック動作時の状態を示す説明図である。
【図５】図１に示す成形金型を使用した樹脂成形品の成形方法において、樹脂成形品の成形後におけるアンダーカットピンの後退動作、ロック機構部のロック解除動作時の状態を示す説明図である。
【図６】図１に示す成形金型を使用した樹脂成形品の成形方法における成形後の型開き状態を示す説明図である。
【図７】図１に示す成形金型の作用を示す説明図である。
【図８】図１に示す成形金型におけるロック機構部の変形例を示す説明図である。
【図９】従来の樹脂成形品の一例である内装トリムの正面図である。
【図１０】図９中X −X 線断面図である。
【図１１】従来の樹脂成形品を成形する成形金型の構成を示す説明図である。
【図１２】従来の成形金型を使用してアンダーカット部を成形する工程を示す説明図である。
【図１３】従来の成形金型における不具合を示す説明図である。
【図１４】従来の成形金型における不具合を示す説明図である。
【符号の説明】
【００３８】
１  内装トリム（樹脂成形品）
２  取付座（アンダーカット部）
１０  成形金型
２０  固定側金型（キャビティ型）
２０ａ  型面（キャビティ面）
３０  可動側金型（コア型）
３０ａ  型面（コア面）
３０ｂ  パーティング面
３１  アンダーカット状の凹部
３２  可動テーブル
３３  プレスラム
３４  段部
４０  アンダーカットピン
４１  シリンダ（油圧シリンダ）
５０  ロック機構部
５１  ブラケット
５１ａ  回動支点
５２  ロックアーム
５２ａ  ロック片
５３  カム片
５３ａ，５３ｂ  傾斜面
５４  スライダ
５５  カム受け凹部
５５ａ，５５ｂ  傾斜面
５６，５７  シリンダ
５７ａ  連結ロッド
５８  リンク
【図１】
2006095734.tif 000003
【図２】
2006095734.tif 000004
【図３】
2006095734.tif 000005
【図４】
2006095734.tif 000006
【図５】
2006095734.tif 000007
【図６】
2006095734.tif 000008
【図７】
2006095734.tif 000009
【図８】
2006095734.tif 000010
【図９】
2006095734.tif 000011
【図１０】
2006095734.tif 000012
【図１１】
2006095734.tif 000013
【図１２】
2006095734.tif 000014
【図１３】
2006095734.tif 000015
【図１４】
2006095734.tif 000016